(57)【要約】      （修正有）【課題】強度を確保しつつパネルシャーシと本体シャーシとの組み付けを容易にする。【解決手段】第１の筐体２２に設けられ、第１の筐体の一辺に第２の筐体２１を連結すると共にヒンジ２４を介して回動可能に支持する連結部材と、第２の筐体に設けられ、第１の筐体と前記第２の筐体とを連結する際、連結部材を第２の筐体に載置する位置を定める位置決め部材と、連結部材と異なる部材であって、第１の筐体と第２の筐体とを連結する際、位置決め部材に載置された連結部材に重畳して載置され、ヒンジの回動軸から離間する方向に位置決め部材から第２の筐体に沿って延伸する補強部材と、を含む。【選択図】図１３
2016143150.tif 000002
【特許請求の範囲】
【請求項１】
第１の筐体に設けられ、前記第１の筐体の一辺に第２の筐体を連結すると共にヒンジを介して回動可能に支持する連結部材と、
第２の筐体に設けられ、前記第１の筐体と前記第２の筐体とを連結する際、前記連結部材を前記第２の筐体に載置する位置を定める位置決め部材と、
前記連結部材と異なる部材であって、前記第１の筐体と前記第２の筐体とを連結する際、前記位置決め部材に載置された前記連結部材に重畳して載置され、前記ヒンジの回動軸から離間する方向に前記位置決め部材から前記第２の筐体に沿って延伸する補強部材と、
を含むことを特徴とする情報処理装置。
【請求項２】
前記ヒンジを被覆する被覆部材をさらに含み、
前記連結部材の前記一辺と直交する方向の寸法は、前記被覆部材の前記一辺と直交する方向の寸法と略等しいことを特徴とする請求項１に記載の情報処理装置。
【請求項３】
前記連結部材は、
前記第１の筐体の一辺の所定領域に埋設された一の部分と、前記一の部分に連接して形成され、前記所定領域から露呈した他の部分と、からなる軸部材と、
前記軸部材に連接して形成され、前記一辺から離間する方向に伸張する伸張部と、
前記伸張部に連接して形成され、前記一辺と同一方向に延在するブラケットと、
を含むことを特徴とする請求項１又は２に記載の情報処理装置。
【発明の詳細な説明】
【技術分野】
【０００１】
本発明は、情報処理装置に関する。
【背景技術】
【０００２】
従来、ＬＣＤ（Liquid Crystal Display）等の表示部を有する第１の筐体と、この第１の筐体に対して複数の角度で位置決めされるキーボード等の操作部を有する第２の筐体との開閉角度が、０度から１８０度（以下、クラムシェルモードともいう。）の間であった折り畳み式のノート型パーソナルコンピュータ（以下、ノートＰＣともいう。）が、近年のウィンドウズ（登録商標）８のリリースに伴い、第１の筐体の表示部の背面と、第２の筐体の操作部の背面とが重なるような折り畳み状態で使用される機種が出現してきている。
【０００３】
すなわち、従来は、第１の筐体と第２の筐体との開閉角度が０度から１８０度の間で一意に定められるものが、開閉角度が１８０度から３６０度まで拡大した状態（以下、コンバーチブルモードともいう。）で位置決めされるようになる。そして、表示部にタッチパネルを採用し、表示部が操作部を兼用することにより、パーソナルコンピュータ（以下、ＰＣともいう。）をタブレット端末として使用できるようにした機種が発売されている。
【０００４】
また、クラムシェルモードの機種とコンバーチブルモードの機種とでは、表示部を構成するＬＣＤの性能が異なる。すなわち、コンバーチブルモードでは、タッチパネル機能を搭載したＬＣＤが採用されるのに対し、クラムシェルモードでは、タッチパネル機能を搭載しない通常のＬＣＤが採用されている。このような背景から、両機種において、先に第１の筐体を組んだ状態、すなわち、第１の筐体と第２の筐体とを結合するヒンジが第１の筐体に取り付けられモジュール化された後、第２の筐体に組み付けられるという工法が採られている。したがって、クラムシェルモードとコンバーチブルモードとのそれぞれの機種において、両筐体を組み付け易くするようなヒンジ形状が採用されており、両筐体の組み付けに無理が掛からないような筐体設計が、両機種においてそれぞれ採用されている。
【０００５】
特許文献１には、液晶パネルが、保持部と、保持部の一端側から直角に折り曲げられた折曲部と、折曲部の先端に設けられた平板状をなす被取付面部と、保持部の他端部に設けられた平板状の結合部とが一体に形成されたブラケットを介してリヤパネルに取り付けられ、ブラケットは、それぞれ液晶パネルの左右に取り付けられることが記載されている。また、パネル部は、本体部にヒンジを介して回動自在に支持され、ヒンジは、それぞれパネル部に取り付けられる第１の部材と、本体部に取り付けられる第２の部材とから成り、第１の部材の回動支点部を、それぞれ第２の部材の支持部に挿入し、第２の部材をそれぞれ本体部の所定の位置に取り付ける情報処理装置が開示されている。
【０００６】
また、特許文献２には、各ヒンジ部材が、ＬＣＤユニットの左右各側面に取り付けられる上ブラケットと、ノートブック・コンピュータに取り付けられる下ブラケットと、各ブラケット間を所定の回転トルクを以ってヒンジ結合するためのヒンジ結合部と、で構成されることが記載されている。また、ヒンジ部材は、ＬＣＤユニットの右側面に取り付けられる上ブラケットと、ノートブック・コンピュータ本体に取り付けられる下ブラケットと、各ブラケットの間を所定の回転トルクを以ってヒンジ結合するヒンジ結合部と、上ブラケットと一体をなすシャフトとを含んでおり、左ヒンジ部材も右ヒンジ部材と左右対称な形状・構造を有している情報処理機器が開示されている。
【先行技術文献】
【特許文献】
【０００７】
【特許文献１】特開２００３−０２９２４１号公報
【特許文献２】特開平１１−０８５３１９号公報
【発明の概要】
【発明が解決しようとする課題】
【０００８】
しかしながら、超軽量で超薄型な筐体を有するＰＣの設計を行うにあたり、クラムシェルモードの機種とコンバーチブルモードの機種との商品化開発を並行して行い、両機種において使用される部品、モジュール等が共通するものについては、できる限り共用化を図ることにより、開発効率を向上させ、コストを低減させる取り組みが行われている。そして、上記したように、クラムシェルモードの機種とコンバーチブルモードの機種とでは、操作部を有する第２の筐体（以下、本体シャーシともいう。）の設計を共通化し、表示部を有する第１の筐体（以下、パネルシャーシともいう。）のみを、それぞれのモードに対応させて開発することにより、開発効率を上げる取り組みが行われている。
【０００９】
そうすると、両機種において共通化される本体シャーシに対して、開閉角度が０度から１８０度までのクラムシェルモードに対応するパネルシャーシのヒンジと、開閉角度が０度から３６０度までのコンバーチブルモードに対応するパネルシャーシのヒンジとの両方が、容易に組み付けられるような構造であることが求められる。すなわち、両機種のパネルシャーシにそれぞれ設けられているヒンジ部材と、両機種において共通の本体シャーシとが、組み付けやすい構造を有していなければならないという課題がある。
【００１０】
しかしながら、従来、クラムシェルモードの機種とコンバーチブルモードの機種との商品コンセプト自体は異なっており、クラムシェルモードの本体シャーシとコンバーチブルモードの本体シャーシとを共用化するという要請はそもそも存在せず、両機種においてそれぞれ異なるヒンジ形状によってパネルシャーシと本体シャーシとの組み付けが行われてきた。したがって、それぞれの機種単独でみれば組み付け易いヒンジ形状を有しているものの、超軽量、超薄型ＰＣという共通した商品コンセプトの下、共通化された本体シャーシに対して、異なる種類のパネルシャーシを組み付ける際に、従来と同等程度の強度を確保しつつ組み付けが容易なヒンジ構造が要求されている。
【００１１】
特許文献１及び特許文献２に記載された技術は、何れも、クラムシェルモードの機種における本体シャーシとパネルシャーシとの組み付けに関するものであり、クラムシェルモードの機種とコンバーチブルモードの機種とのそれぞれのパネルシャーシに、両機種において共通する本体シャーシを組み付ける点に関しては、何ら言及されていない。したがって、これらの先行技術文献に開示された技術では、クラムシェルモードのパネルシャーシ、又はコンバーチブルモードのパネルシャーシと、両機種において共通する本体シャーシとを容易に組み付けるためのヒンジ構造を得るという課題を解決することができない。
【００１２】
そこで本発明は、上記従来の問題点に鑑みてなされたもので、超軽量、超薄型という商品コンセプトの下、クラムシェルモードとコンバーチブルモードとにおいて本体シャーシを共用化するにあたり、強度を確保しつつパネルシャーシと本体シャーシとの組み付けを容易にすることが可能な情報処理装置を提供することを目的とする。
【課題を解決するための手段】
【００１３】
上記課題を解決するため、請求項１に記載の本発明における情報処理装置は、第１の筐体に設けられ、前記第１の筐体の一辺に第２の筐体を連結すると共にヒンジを介して回動可能に支持する連結部材と、第２の筐体に設けられ、前記第１の筐体と前記第２の筐体とを連結する際、前記連結部材を前記第２の筐体に載置する位置を定める位置決め部材と、前記連結部材と異なる部材であって、前記第１の筐体と前記第２の筐体とを連結する際、前記位置決め部材に載置された前記連結部材に重畳して載置され、前記ヒンジの回動軸から離間する方向に前記位置決め部材から前記第２の筐体に沿って延伸する補強部材と、を含むことを特徴とする。
【００１４】
また、請求項２に記載の情報処理装置は、請求項１に記載の情報処理装置において、前記ヒンジを被覆する被覆部材をさらに含み、前記連結部材の前記一辺と直交する方向の寸法は、前記被覆部材の前記一辺と直交する方向の寸法と略等しいことを特徴とする。
【００１５】
さらに、請求項３に記載の本発明における情報処理装置は、請求項１または請求項２に記載の情報処理装置において、前記連結部材は、前記第１の筐体の一辺の所定領域に埋設された一の部分と、前記一の部分に連接して形成され、前記所定領域から露呈した他の部分と、からなる軸部材と、前記軸部材に連接して形成され、前記一辺から離間する方向に伸張する伸張部と、前記伸張部に連接して形成され、前記一辺と同一方向に延在する第１のブラケットと、を有することを特徴とする。
【発明の効果】
【００１６】
本発明によれば、超軽量、超薄型というコンセプトの下、クラムシェルモードとコンバーチブルモードとにおいて本体シャーシを共用化するにあたり、強度を確保しつつパネルシャーシと本体シャーシとの組み付けを容易にすることが可能な情報処理装置が得られる。
【図面の簡単な説明】
【００１７】
【図１】本発明の実施形態における情報処理装置のうち、クラムシェルモードの外観を示す斜視図である。
【図２】本発明の実施形態における情報処理装置のうち、コンバーチブルモードの外観を示す斜視図である。
【図３】情報処理装置のうち、コンバーチブルモードの機種で用いられてきたヒンジ構造の一例を示す図である。
【図４】情報処理装置のうち、コンバーチブルモードの機種で用いられてきたヒンジ構造をクラムシェルモードの機種に適用した場合について説明する図である。
【図５】本発明の実施形態における情報処理装置のうち、クラムシェルモードの機種で用いられるヒンジ構造の一例を示す図である。
【図６】本発明の実施形態における情報処理装置のうち、クラムシェルモードの機種で用いられるヒンジ構造の一例を示す図５のＵ方向から見た連結部材の一例を示す図である。
【図７】情報処理装置のうち、コンバーチブルモードの機種で用いられてきた強度確保のためのヒンジ構造の一例を示す図である。
【図８】本発明の実施形態における情報処理装置のうち、コンバーチブルモードの機種で用いられるヒンジ構造の一例を示す図である。
【図９】本発明の実施形態における情報処理装置のうち、コンバーチブルモードの機種で用いられるヒンジ構造の一例を示す図である。
【図１０】本発明の実施形態における情報処理装置のうち、コンバーチブルモードの機種で用いられるヒンジ構造の連結部材の一例を示す図である。
【図１１】情報処理装置のうち、コンバーチブルモードの機種で用いられるヒンジ構造の一例を示す図である。
【図１２】本発明の実施形態における情報処理装置のうち、クラムシェルモードの機種において用いられるヒンジ構造の一例を示す図である。
【図１３】本発明の実施形態における情報処理装置のうち、クラムシェルモードの機種において用いられる強度確保のためのヒンジ構造の一例を示す図である。
【発明を実施するための形態】
【００１８】
次に、本発明を実施するための形態について図面を参照して詳細に説明する。なお、各図中、同一又は相当する部分には同一の符号を付しており、その重複説明は適宜に簡略化乃至省略する。以下、本実施形態について説明するが、本実施形態は、以下に説明する実施形態に限定されるものではない。なお、以下に説明する実施形態は、ＰＣを具体例に挙げて説明しているが、筐体の折り畳みが可能であって、軽量薄型化が要求されるあらゆる情報処理装置について適用可能である。
【００１９】
まず、本発明の実施形態における情報処理装置のうち、クラムシェルモードの外観について説明する。図１は、本発明の実施形態における情報処理装置のうち、クラムシェルモードの外観を示す斜視図である。
【００２０】
図１において、クラムシェルモードの情報処理装置の一例であるＰＣ１００は、ＬＣＤ等の表示部２５を有するパネルシャーシ（第１の筐体）２２と、キーボード等の操作部２６を有する本体シャーシ（第２の筐体）２１とが、両シャーシが互いに接触する一辺を回転軸として、左ヒンジ２４、及び右ヒンジ２３を用いて両シャーシが回動可能に支持されている。
【００２１】
以下の説明では、パネルシャーシ２２が矢印Ａ方向に折り畳まれ、パネルシャーシ２２の表示部２５と本体シャーシ２１の操作部２６とが対向し、パネルシャーシ２２と本体シャーシ２１とが積層された状態を開閉角度０度状態と定義し、パネルシャーシ２２が矢印Ｂ方向に倒され、パネルシャーシ２２の表示部２５の表面と、本体シャーシ２１の操作部２６の表面とが略同一面となるよう開かれた状態を開閉角度１８０度状態と定義する。図１の場合、パネルシャーシ２２は、本体シャーシ２１と開閉角度略９０度で開かれた状態にある。この状態で、ユーザは、操作部２６を操作することにより、ＰＣ１００を使用することができる。
【００２２】
ユーザがノートＰＣ１００の使用を終えたとき、又は操作することなく持ち運ぶとき、パネルシャーシ２２と本体シャーシ２１とを折り畳み、両シャーシ間の開閉角度を０度状態にする。この状態において、ＰＣ１００を電源オフ状態に移行するよう予め設定しておくことも可能である。
【００２３】
次に、本発明の実施形態における情報処理装置のうち、コンバーチブルモードの外観について説明する。図２は、本発明の実施形態における情報処理装置のうち、コンバーチブルモードの外観を示す斜視図である。
【００２４】
図２において、コンバーチブルモードの情報処理装置の一例であるＰＣ１００は、タッチパネル機能を有するＬＣＤ等の表示部２５を有するパネルシャーシ（第１の筐体）４２と、キーボード等の操作部２６を有する本体シャーシ（第２の筐体）２１とが、両シャーシが互いに接触する一辺を回転軸として、左ヒンジ２４、及び右ヒンジ２３を用いて両シャーシが回動可能に支持されている。
【００２５】
以下の説明では、パネルシャーシ２２（４２）が図１の矢印Ｃ方向に倒され、パネルシャーシ４２の表示部２５の背面と本体シャーシ２１の操作部２６の背面とが対向し、パネルシャーシ４２と本体シャーシ２１とが積層された図２に示す状態を開閉角度３６０度状態と定義する。この状態で、ユーザは、タッチパネル機能を有する表示部２５を操作することにより、ＰＣ１００を使用することができる。なお、コンバーチブルモードの機種においては、図１に示したクラムシェルモードの機種が採り得る開閉角度においても、タッチパネル機能を有する表示部２５を操作することにより、ＰＣ１００を使用することができる。
【００２６】
次に、情報処理装置のうち、コンバーチブルモードの機種で用いられてきたヒンジ構造の一例について説明する。図３は、情報処理装置のうち、コンバーチブルモードの機種で用いられてきたヒンジ構造の一例を示す図である。
【００２７】
パネルシャーシと本体シャーシとを組み付ける際、クラムシェルモードとコンバーチブルモードとでは、表示部２５を構成するＬＣＤの種類が異なる。したがって、各モードにおいてそれぞれヒンジが予め取り付けられた状態の専用のパネルシャーシ２２、４２に対して、本体シャーシ２１を組み付ける作業が行われる。図３の場合、パネルシャーシ４２に予め取り付けられた右ヒンジ２３のブラケット３１の穴３２と、本体シャーシ２１の裏面のボス穴３３との位置を合わせた後、両者をビス等で共締めして両シャーシを組み付ける状態を示している。
【００２８】
この際、コンバーチブルモードの機種では、パネルシャーシ４２と本体シャーシ２１との開閉角度は上記したように０度から３６０度まで可能であるので、両シャーシ間の開閉角度を組み付け易い角度Ｄ（例えば、２７０度）として両シャーシの組み付を行っている。すなわち、コンバーチブルモードの機種では、両シャーシ間の開閉角度を広範囲に可変できるので、ブラケット３１が、後述するような延出部分を仮に有していたとしても、パネルシャーシと本体シャーシとを容易に組み付けることができる。
【００２９】
次に、情報処理装置のうち、コンバーチブルモードの機種で用いられてきた図３のヒンジ構造をクラムシェルモードの機種に適用した場合の問題点について説明する。図４は、情報処理装置のうち、コンバーチブルモードの機種で用いられてきたヒンジ構造をクラムシェルモードの機種に適用した場合について説明する図である。
【００３０】
図４は、パネルシャーシ２２に予め取り付けられた右ヒンジ２３のブラケット４１の穴５２と、本体シャーシ２１の裏面のボス穴３３との位置を合わせ、両者をビス等で共締めして両シャーシを組み付ける状態を示している。この場合、クラムシェルモードの機種では、パネルシャーシ２２と本体シャーシ２１との開閉角度は上記したように０度から１８０度までであり、コンバーチブルモードの機種と比較して狭い。したがって、図３で示したヒンジ構造をそのままパネルシャーシ２２に適用すると、本体シャーシ２１の裏面の上端部２１１が、ヒンジのブラケット４１に当接すると共に、本体シャーシ２１の裏面の下端部２１２が、パネルシャーシ２２の表示部２５に当接するため、両シャーシを組み付けることが極めて難しい。これは、両シャーシ間の開閉角度が０度から１８０度の如何なる角度であっても変わらない。
【００３１】
上記図３で説明したヒンジ構造をクラムシェルモードの機種に適用した場合に発生する組み付けの困難さの要因は、ヒンジのブラケット４１が、パネルシャーシ２２の表示部２５の内側方向へ延出していることにある（以下、図３に示すブラケット３１、及び図４に示すブラケット４１を延出ブラケットという。）。そこで、図４におけるヒンジのブラケットの延出部分Ｅをなくし、クラムシェルモードの機種においてパネルシャーシ２２と本体シャーシ２１との組み付け性を改善するため、図５に示すヒンジのブラケットを採用した。図５は、本発明の実施形態における情報処理装置のうち、クラムシェルモードの機種で用いられるヒンジ構造の一例を示す図である。
【００３２】
図５に示すヒンジのブラケット６１は、図４に示したヒンジのブラケット４１と比較すると、パネルシャーシ２２の表示部２５の内側方向へ延出する延出部分Ｅを大幅に削減し、パネルシャーシ２２の表示部２５の内側方向へ延出する部分の幅を、後述するヒンジキャップの幅Ｗと略等しい寸法近辺に留めている。すなわち、ヒンジのブラケット６１の、本体シャーシ２１の挿入方向と同一方向の寸法を短縮している（以下、このブラケット６１を短縮ブラケットという。）。
【００３３】
これにより、パネルシャーシ２２と本体シャーシ２１との開閉角度が０度から１８０度までの範囲であるクラムシェルモードの機種であっても、パネルシャーシ２２に予め取り付けられた右ヒンジ２３の短縮ブラケット６１の穴６２と、本体シャーシ２１の裏面に設けられ、短縮ブラケット６１を本体シャーシ２１に載置する位置を定める位置決め穴の一例であるボス穴３３との位置を合わせ、両シャーシを容易に組み付けることが可能となる。すなわち、クラムシェルモードの機種では、両シャーシ間の開閉角度が狭いので、短縮ブラケット６１を用いることにより、パネルシャーシと本体シャーシとを容易に組み付けることができる。
【００３４】
次に、クラムシェルモードの機種で用いられるヒンジ構造の内部構成について説明する。図６は、本発明の実施形態における情報処理装置のうち、クラムシェルモードの機種で用いられるヒンジ構造の一例を示す図５のＵ方向から見た連結部材の一例を示す図である。なお、図５では右ヒンジ２３について表しているが、右ヒンジ２３の連結部材の構造と左ヒンジ２４の連結部材の構造とは対称であるので、図６では、左ヒンジ２４について表している。
【００３５】
図６に示すように、パネルシャーシ２２と図示しない本体シャーシ２１とを連結する連結部材は、パネルシャーシ２２を正面に見たときの底辺の所定領域の内部に軸部材が埋設された１軸ヒンジである。そして、この１軸ヒンジは、軸部材に連接して形成され、パネルシャーシ２２から露呈した根元部Ｓと、根元部Ｓに連接して形成され、パネルシャーシ２２の底辺から離間する方向に伸びる伸張部Ｔと、伸張部Ｔに連接して形成され、パネルシャーシ２２の底辺と同一方向に延在する短縮ブラケット６１とから構成されている。根元部Ｓと伸張部Ｔとは、左ヒンジ２４のキャップに被覆されている。
【００３６】
そして、図５で説明したように、短縮ブラケット６１の穴６２と本体シャーシ２１の裏面のボス穴３３との位置を合わせ、ビス等で共締めして両シャーシを組み付けることとしている。また、上記したように、短縮ブラケット６１のパネルシャーシ２２の底辺と直交する方向の幅と、左ヒンジ２４を覆う被覆部材であるキャップのパネルシャーシ２２の底辺と直交する方向の幅とを、略等しい寸法近辺（Ｗ）とすることにより、両シャーシ間の開閉角度が狭いクラムシェルモードの機種における、パネルシャーシ２２と本体シャーシ２１との組み付け性を改善している。
【００３７】
図５、図６に示すような、本体シャーシ２１の挿入方向と同一方向の寸法を短縮した短縮ブラケット６１を、クラムシェルモードのパネルシャーシ２２に設けることにより、クラムシェルモードの機種において、パネルシャーシと本体シャーシとの組み付けは格段に改善される。しかしながら、図４で示した延出部分Ｅを有する延出ブラケット４１と比較して、本体シャーシ２１の挿入方向と同一方向の寸法が短縮されている分、両シャーシを支える強度が不足するという懸念がある。
【００３８】
ここで、パネルシャーシと本体シャーシとの組み付け強度を確保するためのヒンジ構造について説明する。図７は、情報処理装置のうち、コンバーチブルモードの機種で用いられてきた強度確保のためのヒンジ構造の一例を示す図であり、図３を矢印Ｒ方向から見た斜視図であって、左ヒンジ２４を表している。
【００３９】
図７に示すように、左ヒンジ２４のヒンジ軸Ｊに取り付けられ、延出部分Ｅを有する延出ブラケット３１の穴と、本体シャーシ２１の裏面に設けられ、延出ブラケット３１を本体シャーシ２１に載置する位置を定める位置決め穴の一例であるボス穴との位置を合わせ、両者をビス等で共締めして両シャーシを組み付ける際、延出ブラケット３１の上に両シャーシの組み付け強度を補強するための補強ブラケット７１を載置し、補強ブラケット７１の穴を延出ブラケット３１の穴位置と一致させてビス等で共締めする。この補強ブラケット７１を用いることにより、パネルシャーシと本体シャーシとの取り付け強度が確保される。
【００４０】
コンバーチブルモードでは、両シャーシの開閉角度が広範囲にわたるので、仮に、パネルシャーシ４２のヒンジのブラケットが、上述した延出部分Ｅを有する延出ブラケット３１であっても、両シャーシの組み付け性に影響を与えない。しかしながら、ＰＣ全体の超軽量化、超薄型化を目指す上で、ブラケットのサイズも極力小さくすることが要求されるので、延出ブラケット３１に代えて上述した短縮ブラケット６１を用いることがより好ましい。
【００４１】
また、コンバーチブルモードでは、本体シャーシの挿入方向と同一方向にブラケットが延出部分Ｅを有していても、両シャーシの組み付け性に影響を与えない。しかしながら、クラムシェルモードの機種では、組み付け性改善のため短縮ブラケット６１を採用するので、それに合わせて、コンバーチブルモードの機種においても延出ブラケット３１に代えて短縮ブラケット６１を採用することにする。そこで、コンバーチブルモードの機種では、短縮ブラケットと、図７で説明した補強ブラケット７１とを一体化したブラケット（以下、コンバーチブルブラケットという。）を採用することにより、軽量薄型化と取り付け強度の確保とを両立させた状態で、両シャーシを容易に組み付けることが可能となる。この点について図８を用いて説明する。
【００４２】
図８は、本発明の実施形態における情報処理装置のうち、コンバーチブルモードの機種で用いられるヒンジ構造の一例を示す図である。図８に示すように、パネルシャーシ４２の左ヒンジ２４には、ヒンジ軸Ｊ１を介してコンバーチブルブラケット８１が設けられている。また、ヒンジ軸Ｊ２は、パネルシャーシ４２内に軸支されており、左ヒンジ２４は、ヒンジ軸Ｊ１、Ｊ２の２軸ヒンジで構成されている。なお、図８では、左ヒンジ２４について図示しているが、図示しない右ヒンジ２３についても同様の構成とすることができる。
【００４３】
図８の左ヒンジ２４を、ヒンジ軸Ｊ２を支点として矢印Ｆ方向に回転すると図９に示すような状態になる。図９は、本発明の実施形態における情報処理装置のうち、コンバーチブルモードの機種で用いられるヒンジ構造の一例を示す図である。このように、コンバーチブルモードの機種では、ヒンジが開閉角度０度から３６０度まで回転可能であり、しかも上記したようにヒンジが２軸ヒンジであるので、本体シャーシ２１の挿入方向と同一方向に延出部分を有するコンバーチブルブラケット８１を用いたとしても、両シャーシを容易に組み付けることが可能となる。
【００４４】
次に、コンバーチブルモードの機種で用いられるヒンジ構造の内部構成について説明する。図１０は、本発明の実施形態における情報処理装置のうち、コンバーチブルモードの機種で用いられるヒンジ構造の連結部材の一例を示す図であって、左ヒンジ２４を表している。
【００４５】
図１０に示すように、パネルシャーシ４２と図示しない本体シャーシ２１とを連結するヒンジ構造は、パネルシャーシ４２を正面に見たときの底辺の所定領域の内部に埋設された部分と、パネルシャーシ４２から露呈した部分とからなる軸部材Ｊ２と、軸部材Ｊ２と略平行に載置される軸部材Ｊ１と、からなる２軸ヒンジである。軸部材Ｊ１は、軸部材Ｊ２の露呈した部分に対向する部分と、その部分から連接して形成され、軸部材Ｊ２と略平行に延伸する部分Ｘとからなる。
【００４６】
そして、部分Ｘから、パネルシャーシ４２の底辺から離間する方向に伸張する幅広部Ｙと、幅広部Ｙに連接して形成され、パネルシャーシ４２の底辺から離間する方向に延在する延在部Ｚとから構成されている。なお、上記したコンバーチブルブラケット８１は、幅広部Ｙと延在部Ｚとを併せたものを指す。
【００４７】
そして、図１１に示すように、幅広部Ｙと本体シャーシ２１の裏面のボス穴との位置を合わせ、ビス等で共締めして両シャーシを組み付けることとしている。図１１は、情報処理装置のうち、コンバーチブルモードの機種で用いられるヒンジ構造の一例を示す図である。
【００４８】
一方、クラムシェルモードでは、両シャーシの開閉角度が狭いので、上記図５で説明した短縮ブラケット６１を用いることにより、両シャーシを容易に組み付けることができると共に、軽量薄型化を図ることができる。この点について図１２を用いて説明する。図１２は、本発明の実施形態における情報処理装置のうち、クラムシェルモードの機種において用いられるヒンジ構造の一例を示す図である。
【００４９】
図１２に示すように、パネルシャーシ２２にヒンジ軸Ｊ３を介して軸支された左ヒンジ２４と、ヒンジ軸Ｊ３の他端部に直結された短縮ブラケット６１とによって、パネルシャーシ２２と本体シャーシ２１とを開閉角度０度状態で挟み込むように保持する。そして、短縮ブラケット６１の穴と、本体シャーシ２１の裏面に設けられ、短縮ブラケット６１を本体シャーシ２１に載置する位置を定める位置決め穴の一例である図示しないボス穴との位置を合わせる。なお、図１２に示す左ヒンジ２４は、ヒンジ軸Ｊ３の１軸ヒンジで構成されている。また、図１２では、左ヒンジ２４について図示しているが、図示しない右ヒンジ２３についても同様の構成とすることができる。
【００５０】
そして、上述したように、ブラケットを短縮したままでは、両シャーシの取り付け強度を確保することができないので、コンバーチブルモードと同様に、取り付け部を補強するための補強部材が必要になる。しかしながら、両シャーシの組み付けの容易性を確保するためには、コンバーチブルモードの場合のように、短縮ブラケットの先端部に補強のためのブラケットを伸長して設けることはできないので、補強のための補強部材を別部材として用意しておき、パネルシャーシ２２と本体シャーシ２１とを組み付けた後にそれを取り付けるという方法を採用する。この点について図１３を用いて説明する。
【００５１】
図１３は、本発明の実施形態における情報処理装置のうち、クラムシェルモードの機種において用いられる強度確保のためのヒンジ構造の一例を示す図である。図１３に示すように、パネルシャーシ２２と本体シャーシ２１とを組み付けた後に、短縮ブラケット６１の上に補強のための補強部材（以下、クラムシェルブラケットという。）９１を載置し、本体シャーシ２１の図示しない裏面のボス穴と、短縮ブラケット６１の穴と、クラムシェルブラケット９１の穴との位置を合わせ、これ等をビス等で共締めして両シャーシを組み付けることとしている。
【００５２】
図１３において、クラムシェルブラケット９１は、ヒンジ軸Ｊ３の回動軸から離れる方向に、本体シャーシ２１の図示しない裏面のボス穴から本体シャーシ２１の裏面に沿って延伸し、楕円形の孔が開いた略長方形の形状としているが、パネルシャーシ２２と本体シャーシ２１との組み付け強度を確保することが可能であれば、この形状に必ずしも限定されないことは勿論である。
【００５３】
本実施形態では、短縮ブラケット６１を、本体シャーシ２１に載置する位置を定める位置決め穴の一例である本体シャーシ２１の裏面に設けられた図示しないボス穴に載置し、そこにクラムシェルブラケット９１を重畳して載置し、ボス穴、短縮ブラケット６１、及びクラムシェルブラケット９１を共締めして接続する。これにより、軽量薄型化と取り付け強度の確保とを両立させた状態で、両シャーシを容易に組み付けることが可能となる。
【００５４】
なお、クラムシェルモードの機種で用いられるクラムシェルブラケット９１の面積と、コンバーチブルモードの機種で用いられるコンバーチブルブラケット８１の面積とを略同一にすることにより、両タイプの機種における取り付け強度を同一レベルに保持することも可能である。
【００５５】
以上説明したように、本実施形態では、パネルシャーシと本体シャーシとを組み付ける際、パネルシャーシに予め取り付けられたヒンジのブラケットを、本体シャーシの挿入方向と同一方向の寸法を短縮した短縮ブラケットとしている。そして、コンバーチブルモードでは、短縮ブラケットに両シャーシの取り付け強度を補強するためのブラケットを連接してヒンジのブラケットを形成することとしている。また、クラムシェルモードでは、両シャーシを取り付けた後、短縮ブラケットの上に両シャーシの取り付け強度を補強するためのブラケットを載置してヒンジのブラケットを形成することとしている。
【００５６】
このように、本発明によれば、超軽量、超薄型というコンセプトの下、クラムシェルモードとコンバーチブルモードとにおいて本体シャーシを共用化するにあたり、強度を確保しつつパネルシャーシと本体シャーシとの組み付けを容易にすることが可能な情報処理装置を得ることができるのである。
【００５７】
なお、上記説明したパネルシャーシと本体シャーシとを組み付ける際のブラケットの形状、ブラケットに設けられる穴の数、形状、及び本体シャーシに設けられるボス穴の数、形状は図示したものに限定されることなく任意の数、任意の形状とすることができることは勿論である。また、上記説明では、両シャーシを組み付けるヒンジがパネルシャーシに予め取り付けられる場合について説明しているが、本体シャーシに予め取り付けられるようにしても良い。さらに、上記説明では、両シャーシの組み付けを、ビス等を用いて行う場合について説明しているが、溶着等、両シャーシを組み付けることが可能な任意の方法を採り得ることは勿論である。
【００５８】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００５９】
２１    本体シャーシ（第２の筐体）
２２、４２    パネルシャーシ（第１の筐体）
２３    右ヒンジ
２４    左ヒンジ
２５    表示部
２６    操作部
３１、４１    延出ブラケット
３２、５２、６２    ブラケットの穴
３３    ボス穴
６１    短縮ブラケット
７１    補強ブラケット
８１    コンバーチブルブラケット
９１    クラムシェルブラケット
１００    ＰＣ
２１１    上端部
２１２    下端部
Ｅ    延出部分
Ｊ、Ｊ１、Ｊ２、Ｊ３    ヒンジ軸
Ｓ    根元部
Ｔ    伸張部
Ｘ    部分
Ｙ    幅広部
Ｚ    延在部
【図１】
2016143150.tif 000003
【図２】
2016143150.tif 000004
【図３】
2016143150.tif 000005
【図４】
2016143150.tif 000006
【図５】
2016143150.tif 000007
【図６】
2016143150.tif 000008
【図７】
2016143150.tif 000009
【図８】
2016143150.tif 000010
【図９】
2016143150.tif 000011
【図１０】
2016143150.tif 000012
【図１１】
2016143150.tif 000013
【図１２】
2016143150.tif 000014
【図１３】
2016143150.tif 000015